(57)【要約】【課題】  文字放送、字幕放送等における文字情報を十分な品質で表示できる無線通信装置を提供する。【解決手段】  信号分離部２１により映像、音声および文字情報を含む合成信号ａを映像、音声信号ｂと付随信号ｃとに分離し、エンコーダ２３により映像、音声信号ｂに符号化処理を施し、第１通信処理部２５により符号化された映像、音声信号ｅとコード化された付随情報ｆにそれぞれ識別符号を付して送信信号処理を施し、映像、音声および文字情報を含む合成信号ａを無線通信する。【選択図】  図２
2006324960.tif 000002
【特許請求の範囲】
【請求項１】
映像、音声および付随情報を含む合成信号を前記映像、音声信号と前記付随信号とに分離する信号分離部と、
前記分離された映像、音声信号に符号化処理を施す符号化処理部と、
前記符号化された映像、音声信号および前記分離された付随信号にそれぞれ識別符号を付して送信信号処理を施し、前記送信信号処理された映像、音声および付随情報を含む合成信号を送信する通信処理部と、
を具備することを特徴とする無線通信装置。
【請求項２】
映像、音声および付随情報を含む合成信号を前記映像、音声信号と前記付随信号とに分離する信号分離部と、
前記分離された映像、音声信号に符号化処理を施す符号化処理部と、
前記符号化された映像、音声信号および前記分離された付随信号にそれぞれ識別符号を付して送信信号処理を施し、前記送信信号処理された映像、音声および付随情報を含む合成信号を送信する第１通信処理部と、
を有する第１無線通信装置と、
前記送信された合成信号を受信し、前記受信された合成信号に前記識別符号に基づいて受信信号処理を施し、前記符号化された映像、音声信号および前記分離された付随信号を再生する第２通信処理部と、
前記符号化された映像、音声信号に復号化処理を施す復号化処理部と、
前記復号化された映像、音声信号と前記分離された付随信号とを合成し、前記合成された信号を表示部に出力する出力部と、
を有する第２無線通信装置と、
を具備することを特徴とする無線通信装置。
【請求項３】
前記付随信号に、前記映像、音声信号を前記符号化処理または前記復号化処理する際に生じる遅延と等しい遅延を生じせしめる遅延処理手段を具備することを特徴とする請求項１または請求項２に記載の無線通信装置。
【請求項４】
前記第２無線通信装置が、前記第１無線装置から前記付随情報を受信した場合に、所定の記憶領域に前記付随情報の存在を示す識別子を付して前記付随情報を書き込み、前記出力部により前記付随情報が読み出されると前記付随情報の存在を示す識別子を前記付随情報の不在を示す識別子に書き換えるスレーブ制御部、または前記第１無線通信装置から前記付随情報を受信した場合に、前記出力部に前記付随情報の書き込みを行なうマスター制御部を具備することを特徴とする請求項２に記載の無線通信装置。
【請求項５】
前記第１および第２無線通信装置が、前記映像、音声信号に符号化処理を施す符号化処理モードと符号化された前記映像、音声信号に復号化処理を施す復号化処理モードの両方のモードを有し、外部信号により前記モードの選択が可能な信号処理部と、前記スレーブ制御モードと前記マスター制御モードの両方のモードを有し、外部信号により前記モードの選択が可能なモード制御部とをそれぞれ具備し、
前記第１無線通信装置において前記符号化処理モードと、前記スレーブ制御モードが選択され、
前記第２無線通信装置において前記復号化処理モードと、前記スレーブ制御モードまたは前記マスター制御モードが選択されていることを特徴とする請求項２乃至請求項４に記載の無線通信装置。
【発明の詳細な説明】
【技術分野】
【０００１】
本発明は、無線通信装置に係り、特に映像、音声および付随情報を含む合成信号の無線通信装置に関する。
【背景技術】
【０００２】
現在、近距離間での持ち運びが可能な無線通信装置、例えば家庭内で持ち運びが可能なワイヤレステレビが実用化されている。
【０００３】
ワイヤレステレビでは、アンテナで受信した映像、音声データを、例えばＩＥＥＥ８０２．１１ｂ、１１ａ等の無線通信方式に従って送信するステーションと、ステーションにより送信された映像、音声データを受信して表示するモニタとを有している。
【０００４】
ステーションは、放送電波を受信するアンテナに接続され、ユーザの要求するテレビチャンネルの放送を選択するチューナと、チューナから入力されたアナログのビデオ信号をデジタルのビデオ信号に変換するビデオデコーダと、ビデオデコーダから出力されたデジタルのビデオ信号を符号化処理して情報量を圧縮するエンコーダと、エンコーダからの出力を無線で送信するための処理を行う送信処理部とを有し、送信処理された無線信号を送信するアンテナに接続されている。
【０００５】
一方、モニタは、ステーションから送信された無線信号を受信するアンテナに接続され、アンテナが受信した無線信号から、符号化されたビデオ信号を抽出する受信処理部と、符号化されたビデオ信号を復号化処理するデコーダと、復号化されたデジタルのビデオ信号を液晶パネルなどのディスプレイに出力する出力部とを有している。
【０００６】
これにより、ステーションからモニタに対して、無線を利用して映像、音声信号を送信し、ユーザがモニタを所望の場所に持ち運んで受信し、テレビ放送を視聴することができる。
【０００７】
近年、文字放送(テレテキスト)や字幕放送(クローズドキャプション)が普及し始めており、ワイヤレステレビにおいても、映像、音声情報だけでなく文字情報も良好に表示できることが求められている。
【０００８】
然しながら、従来のワイヤレステレビでは、映像、音声信号以外の付随信号、例えば文字信号を含む場合に、文字信号も映像信号として扱われるので、ディスプレイに表示される文字の画質が劣化するという問題がある。
【０００９】
即ち、文字放送等の文字はステーションにおいてエンコーダにより映像として符号化処理、例えばＭＰＥＧ（Moving Picture Experts Group）等の圧縮が施され、これをモニタのデコーダで復号化処理して表示する際に、文字の輪郭が崩れる等の問題が生じる。
【００１０】
更に、文字以外の信号、例えば映像、音声信号に付随したＶＢＩ（Vertical Blanking Interval）信号も正常にモニタに送信できないので、ＶＢＩ信号に基づいてモニタ側で適切な処理が行なえない問題がある。  
例えば、ＶＢＩ信号がコピーガード信号の場合でも、映像、音声のコピーが可能となる問題が生じる。
【００１１】
これに対して、映像、音声信号と文字信号を別々に扱う再生装置が知られている（例えば、特許文献１参照。）。
【００１２】
特許文献１に開示された文字情報と画像信号とからなる情報信号を再生する装置では、文字情報を処理して外部機器に出力する出力手段と、通常再生モードを含む複数のモードの間で該装置のモードを設定するモード設定手段と、該モード設定手段により設定されたモードに応じて該出力手段の動作を制御する制御手段とを有している。
【００１３】
然しながら、特許文献１に開示された再生装置では、クローズドキャプション情報が多重された映像信号が記録されたテープの再生中に、停止、一時停止、サーチ等の操作を行った場合でも、正常に文字を表示するためのものであり、映像、音声信号と文字信号を含む合成信号を無線で送信する場合については何ら開示していない。
【特許文献１】特開２００１−２４５２５１号公報（４頁、図１）
【発明の開示】
【発明が解決しようとする課題】
【００１４】
本発明は、文字放送、字幕放送等における文字情報を十分な品質で表示できる無線通信装置を提供する。
【課題を解決するための手段】
【００１５】
上記目的を達成するために、本発明の一態様の無線通装置では、映像、音声および付随情報を含む合成信号を前記映像、音声信号と前記付随信号とに分離する信号分離部と、前記分離された映像、音声信号に符号化処理を施す符号化処理部と、前記符号化された映像、音声信号および前記分離された付随信号にそれぞれ識別符号を付して送信信号処理を施し、前記送信信号処理された映像、音声および付随情報を含む合成信号を送信する通信処理部と、を具備することを特徴としている。
【００１６】
また、本発明の別態様の無線通信装置では、映像、音声および付随情報を含む合成信号を前記映像、音声信号と前記付随信号とに分離する信号分離部と、前記分離された映像、音声信号に符号化処理を施す符号化処理部と、前記符号化された映像、音声信号および前記分離された付随信号にそれぞれ識別符号を付して送信信号処理を施し、前記送信信号処理された映像、音声および付随情報を含む合成信号を送信する第１通信処理部と、を有する第１無線通信装置と、前記送信された合成信号を受信し、前記受信された合成信号に前記識別符号に基づいて受信信号処理を施し、前記符号化された映像、音声信号および前記分離された付随信号を再生する第２通信処理部と、前記符号化された映像、音声信号に復号化処理を施す復号化処理部と、前記復号化された映像、音声信号と前記分離された付随信号とを合成し、前記合成された信号を表示部に出力する出力部と、を有する第２無線通信装置と、を具備することを特徴としている。
【発明の効果】
【００１７】
本発明によれば、文字放送、字幕放送等における文字情報を十分な品質で表示できる無線通信装置が得られる。
【発明を実施するための最良の形態】
【００１８】
以下、本発明の実施例について図面を参照しながら説明する。
【実施例１】
【００１９】
本発明の実施例１に係る無線通信装置について、図１乃至図３を用いて説明する。本実施例の無線通信装置は、例えば２．４ＧＨｚ帯のＩＥＥＥ８０２．１１ｂや５ＧＨｚ帯のＩＥＥＥ８０２．１１ａ等の無線通信方式により近距離間の情報通信を双方向でおこなうワイヤレステレビの例であり、図１はワイヤレステレビのシステム構成図、図２はそのステーションの構成を示すブロック図、図３はそのモニタの構成を示すブロック図である。
【００２０】
図１に示すように、本実施例のワイヤレステレビ１０は、互いに通信を行うステーション（第１無線通信装置）１１とモニタ（第２無線通信装置）１２とを備えている。
【００２１】
ステーション１１およびモニタ１２の一方が送信側の場合、他方が受信側となるが、映像信号及び音声信号に関しては、通常はステーション１１が送信側となり、モニタ１２が受信側となる。
【００２２】
ステーション１１には、放送電波を受信するアンテナ１３と、モニタ１２と通信するためのアンテナ１４とが接続されている。更に、記録映像を再生するＶＴＲ（Video Tape Recorder）、ＤＶＤ（Digital Versatile Disk）等のＡＶ機器１５が接続可能である。
【００２３】
モニタ１２には、ステーション１１と通信するためのアンテナ１６と、映像を表示するディスプレイ１７が接続されている。
【００２４】
図２に示すように、ステーション１１はアンテナ１３で受信した放送電波からユーザの要求するテレビチャンネルを選択するチューナ２０と、チューナ２０で選択されたテレビチャンネルのアナログの映像、音声および付随情報、例えば文字情報を含む合成信号ａを映像、音声信号（以下、ビデオ信号という）ｂと文字信号ｃに分離する信号分離部２１と、ビデオ信号ｂをデジタルのビデオ信号ｄに変換するビデオデコーダ２２と、ビデオ信号ｄを、例えばＭＰＥＧ（Moving Picture Experts Group）方式で情報量が圧縮されたビデオ信号ｅに符号化処理するエンコーダ２３と、文字信号ｃをコード化された文字信号ｆに変換するＣＰＵ２４と、ビデオ信号ｅと文字信号ｆに送信信号処理を施して無線送信する第１通信処理部２５とを具備している。
【００２５】
第１通信処理部２５は、ビデオ信号ｅおよび文字信号ｆをそれぞれ一時的に格納するバッファ２６、２７と、ＣＰＵ２８とベースバンド処理部２９と、ＲＦ（Radio Frequency）処理部３０と、通信制御プログラム等を格納し制御データ等を記憶する記憶部３１とを具備している。
【００２６】
ＣＰＵ２４は、チューナ２０、信号分離部２１、ビデオデコーダ２２、エンコーダ２３、第１通信処理部２５と共通バス（図示せず）で接続され、データや制御コマンド等をやり取りしてステーション１１全体の動作を制御している。
【００２７】
また、ＣＰＵ２４と第１通信処理部２５は専用バス、例えばＩＩＣ（Inter Integrated Circuit）（Ｒ）バス３２で接続され、ＣＰＵ２４がマスター、第１通信処理部２５がスレーブとして動作する。
【００２８】
ＣＰＵ２４は文字信号ｃを受け取ると、文字信号ｆにコード化し、第１通信処理部２５にアクセスしてコード化された文字信号ｆをバッファ２７に書き込む。
【００２９】
図３に示すように、モニタ１２はアンテナ１６で受信した信号から符号化されたビデオ信号ｅとコード化された文字信号ｆを再生する第２通信処理部４０と、符号化されたビデオ信号ｅを復号化処理してデジタルのビデオ信号ｄに変換するデコーダ４１と、コード化された文字信号ｆをビデオ信号ｈに変換するＣＰＵ４２と、ビデオ信号ｄとビデオ信号ｈを表示仕様に合うように表示サイズの制御等をおこなうスケーラ４３と、ディスプレイ１７を駆動して復元された音声および文字情報の表示信号を出力する出力部４４とを具備している。
【００３０】
第２通信処理部４０は、ビデオ信号ｅおよび文字信号ｆをそれぞれ一時的に格納するバッファ４５、４６と、ＣＰＵ４７と、ベースバンド処理部４８と、ＲＦ（Radio Frequency）処理部４９と、通信制御プログラム等を格納し制御データ等を記憶する記憶部５０とを具備している。
【００３１】
ＣＰＵ４２は、第２通信処理部４０、デコーダ４１、スケーラ４３、出力部４４と共通バス（図示せず）で接続され、データや制御コマンド等をやり取りしてモニタ１２全体の動作を制御している。
【００３２】
また、第２通信処理部４０は専用バス、例えばＩＩＣ（Ｒ）バス５１で接続され、第２通信処理部４０がマスター、ＣＰＵ４２がスレーブとして動作する。
【００３３】
文字信号ｆがバッファ４６に書き込まれると、第２通信処理部４０がＣＰＵ４２にアクセスして文字信号ｆをＣＰＵ４２内のバッファ（図示せず）に書き込む。
【００３４】
一方、第２通信処理部４０がスレーブ、ＣＰＵ４２がマスターとして動作することも可能である。この場合、ＣＰＵ４２は定期的にバッファ４６にアクセスし、文字信号ｆがバッファ４６に書き込まれたか否か確認し、書き込まれたと判断した場合には、ＣＰＵ４２はバッファ４６から文字信号ｆを読み出し、ＣＰＵ４２内のバッファ（図示せず）に書き込む。
【００３５】
次に、ビデオ信号ｅと文字信号ｆをモニタ１２に無線送信する方法について具体的に説明する。
【００３６】
図４は映像、音声および文字信号を示す図で、図４（ａ）は映像、音声および文字情報を含む合成信号ａ、図４（ｂ）は分離されたアナログのビデオ信号ｂ、図４（ｃ）は分離された文字信号ｃ、図４（ｄ）は符号化されたビデオ信号ｄ、図４（ｅ）はコード化された文字信号ｆ、図４（ｆ）はビデオ信号ｅおよび文字信号ｆにそれぞれ識別信号ｐ、ｑを付したパケット送信信号を模式的に示す図である。
【００３７】
図４（ａ）に示すように、アンテナ１３で受信されチューナ２０で選択された映像、音声および文字情報を含む合成信号ａは、映像、音声および文字情報が重畳されてＶＨＦ〜ＵＨＦ帯の高周波キャリアにより周波数変調されている。
【００３８】
次に、図４（ｂ）、（ｃ）に示すように、信号分離部２１により映像、音声および文字情報を含む合成信号ａから、アナログのビデオ信号ｂと文字信号ｃが分離される。
【００３９】
次に、図４（ｄ）、（ｅ）に示すように、ビデオ信号ｂはビデオデコーダ２２およびエンコーダ２３により符号化され、符号化されたビデオ信号ｅは第１通信処理部２５により、パケット化されてビデオパケットＶが得られる。
【００４０】
同様に、文字信号ｃはＣＰＵ２４によりコード化され、コード化された文字信号ｆは第１通信処理部２５により、パケット化されて文字パケットＭが得られる。
【００４１】
次に、図４（ｆ）に示すように、第１通信処理部２５により、例えばパケット周期Ｔ０に対して、空き時間Ｔ１を利用して各ビデオパケットＶの先頭には識別符号ｐが付され、各文字パケットＭの先頭には識別符号ｑが付されたパケット送信信号ｇが生成される。
【００４２】
従って、各パケット信号の先頭の識別符号により、パケット信号がビデオパケットＶであるか、あるいは文字パケットＭであるかを識別可能な形態でモニタ１２に無線送信することが可能である。
【００４３】
モニタ１２では、第２通信処理部４０により受信したパケット信号を識別符号がｐの場合にビデオパケットＶ、識別符号がｑの場合に文字パケットＭと判別し、ビデオ信号ｅと文字信号ｆに分離することが可能である。
【００４４】
以上説明したように、実施例１のワイヤレステレビ１０によれば、映像、音声信号と文字信号を分離し、文字信号には符号化処理を施さずに無線送信することにより、符号化による文字の表示品質の劣化が生じない。
【００４５】
その結果、文字放送や字幕放送等における文字情報を十分な品質で表示することができる。従って、文字情報の表示品質の高い無線通信装置を提供することができる。
【００４６】
ここでは、文字情報を無線で送信する場合について説明したが、他のＶＢＩ信号であっても同様である。
【実施例２】
【００４７】
次に、本発明の実施例２に係るワイヤレステレビについて、図５および図６を用いて説明する。図５はそのステーションの構成を示すブロック図、図６はビデオ信号をエンコーダで符号化し、デコーダで復号化する際に生じる符号化レートと処理遅延時間との関係を示す図である。
【００４８】
本実施例において、上記実施例１と同一の構成部分には同一符号を付してその説明を省略し、異なる部分についてのみ説明する。
【００４９】
実施例２が上記実施例１と異なる点は、文字信号に対して、ビデオ信号を符号化し、復号化する際に生じる処理遅延時間と等しい遅延時間を生じせしめるようにしたことにある。
【００５０】
即ち、図５に示すように、ステーション１１の第１通信処理部６０はバッファ２７とＣＰＵ２８の間に接続された遅延処理部６１を有している。  
遅延処理部６１は、例えば多段に縦列接続されたインバータ遅延回路等が適しているが、特に限定されない。
【００５１】
遅延処理部６１はエンコーダ２３から遅延時間設定信号ｉとして、例えばＭＰＥＧ符号化レートデータを受け取り、遅延処理部６１に格納されているＭＰＥＧ符号化レートと処理時間の対応テーブルを参照してＭＰＥＧ符号化処理、および復号化処理による遅延時間Δτ１に等しい遅延時間Δτ２を算出し、文字信号ｆに対してΔτ２だけ遅延処理を施してビデオ信号ｅと同期した文字信号ｆを出力する。
【００５２】
図６に示すように、符号化レートと遅延時間との関係はＭＰＥＧ符号化レートが速くなるほど遅延時間が短くなり、例えばＭＰＥＧ符号化レート２．７Ｍｂｐｓのとき遅延時間は１０００ｍｓ、ＭＰＥＧ符号化レート１４．４Ｍｂｐｓのとき遅延時間は３００ｍｓである。
【００５３】
これにより、ＭＰＥＧ符号化レートに応じて、ビデオ信号ｅと文字信号ｆの同期をとることができるので、文字の表示がビデオの表示と時間的にずれることがなく高品質な文字情報の表示が可能である。
【００５４】
以上説明したように、実施例２のワイヤレステレビによれば、エンコーダ２３のＭＰＥＧ符号化レートに応じて、文字信号ｆに対して適当な遅延処理を施すことができる。
【００５５】
その結果、ビデオ信号ｅと文字信号ｆを同期させて、時間的にずれのない高品質な文字情報を表示できる利点がある。
【００５６】
ここでは、ステーション１１側でビデオ信号ｅと文字信号ｆの同期をとる場合について説明したが、モニタ１２側でビデオ信号ｅと文字信号ｆの同期をとるようにしても構わない。
【００５７】
即ち、図７に示すように、モニタ１２の第２通信処理部６２はＣＰＵ４７とバッファ４６の間に接続された遅延処理部６３を有している。
【００５８】
遅延処理部６３は、ステーション１１より無線でエンコーダ２３のＭＰＥＧ符号化レートデータを受け取ることにより、遅延処理部６３に格納されているＭＰＥＧ符号化レートと処理遅延時間の対応テーブルを参照してＭＰＥＧ符号化処理、および復号化処理による遅延時間Δτ１に等しい遅延時間Δτ２を算出し、文字信号ｆに対してΔτ２だけ遅延処理を施してビデオ信号ｅと同期した文字信号ｆを出力することが可能である。
【実施例３】
【００５９】
図８は、本発明の実施例３に係るワイヤレステレビのステーションの構成を示すブロック図である。
【００６０】
本実施例において、上記実施例１と同一の構成部分には同一符号を付してその説明を省略し、異なる部分についてのみ説明する。  
実施例３が上記実施例２と異なる点は、文字信号に対する遅延処理をソフトウェアで実行するようにしたことにある。
【００６１】
即ち、図８に示すように、ステーション１１の第１通信処理部６４は一端がエンコーダ２３に接続され、他端がＣＰＵ２４に接続された遅延通知部６５を有している。
【００６２】
遅延通知部６５はエンコーダ２３からＭＰＥＧ符号化レートデータを受け取り、遅延処理部６５に格納されているＭＰＥＧ符号化レートと処理遅延時間の対応テーブルを参照してＭＰＥＧ符号化処理、および復号化処理による遅延時間Δτ１に等しい遅延時間Δτ２を算出し、ＣＰＵ２４に通知する。
【００６３】
ＣＰＵ２４は遅延時間データを受け取り、遅延処理をソフトウェアで実行することにより、Δτ１に等しい時間Δτ２だけ遅延した文字信号ｆを、ＩＩＣバス（Ｒ）３２を介してバッファ２７に出力する。
【００６４】
ソフトウェアによる遅延処理は、例えばウェイトループを遅延時間に相当する回数だけ繰り返し実行することにより行なえるが、特に限定されない。  
しかし、ＣＰＵ２４に負荷がかかるので、ＭＰＥＧ符号化レートが比較的速い場合や、文字情報か比較的少ない場合に適している。
【００６５】
これにより、文字信号ｆに対してソフトウェアでΔτ２だけの遅延処理を施し、ビデオ信号ｅと同期した文字信号ｆを得ることが可能である。
【００６６】
以上説明したように、実施例３のワイヤレステレビによれば、エンコーダ２３のＭＰＥＧ符号化レートに応じて、文字信号ｆに対して適当な遅延処理をソフトウェアにより施すことができる。
【００６７】
従って、文字信号に遅延処理を施す遅延回路が不要であり、ステーション１１の第１通信処理部６４の構成が簡素化できる利点がある。
【００６８】
ここでは、ステーション１１側で文字信号ｆの遅延処理をソウトウェアで行なう場合について説明したが、モニタ１２側で行なっても構わない。
【００６９】
即ち、図９に示すように、モニタ１２の第２通信処理部６６は一端がＣＰＵ４７に接続され、他端がＣＰＵ４２に接続された遅延通知部６７を有している。
【００７０】
遅延通知部６７はステーション１１から無線通信回線を介してエンコーダ２３のＭＰＥＧ符号化レートデータを受け取ることにより、遅延通知部６７に格納されているＭＰＥＧ符号化レートと処理時間の対応テーブルを参照してＭＰＥＧ符号化処理、および復号化処理による遅延時間Δτ１に等しい遅延時間Δτ２を算出し、ＩＩＣ（Ｒ）バス５１を介してＣＰＵ４２に通知する。
【００７１】
ＣＰＵ４２は遅延時間データΔτ２を受け取り、遅延処理をソフトウェアで実行することにより、文字信号ｆを時間Δτ２だけ遅延させるので、ビデオ信号ｅと同期した文字信号cをスケーラ４３に出力することが可能である。
【実施例４】
【００７２】
図１０は、本発明の実施例４に係るワイヤレステレビのモニタの構成を示すブロック図である。
【００７３】
本実施例において、上記実施例１と同一の構成部分には同一符号を付してその説明を省略し、異なる部分についてのみ説明する。
【００７４】
実施例４が上記実施例１と異なる点は、モニタ側にて識別子を用いて文字信号の有無を検知するようにしたことにある。
【００７５】
即ち、図１０に示すように、モニタ１２の第２通信処理部７０は一端がＣＰＵ４７に接続され、他端がバッファ４６に接続されたスレーブ制御部７１を有している。
【００７６】
スレーブ制御部７１は、ＣＰＵ４７から文字信号ｆを受け取ると、文字信号ｆを示すデータの先頭に文字データが存在することを示す識別子を付してバッファ４６内の所定の記憶エリアに文字データを格納する。
【００７７】
マスターであるＣＰＵ４２は定期的にバッファ４６内の所定の記憶エリアに格納されている識別子を読み出して文字データの有無を判定し、文字データが存在する場合に、文字データを読み出す。
【００７８】
ＣＰＵ４２により文字データが読み出されると、スレーブ制御部７１は識別子を文字データが存在しないことを示す識別子にリセットする。
【００７９】
図１１はバッファ４６内の記憶エリアに格納された文字データを示す図で、図１１（ａ）は文字データの先頭に識別子が付された状態を示す図、図１１（ｂ）は記憶エリアに文字データが存在することを示す識別子が付された状態を示す図、図１１（ｃ）は記憶エリアに文字データが存在しないことを示す識別子が付された状態を示す図である。
【００８０】
図１１（ａ）に示すように、記憶エリア７２には先頭に識別子７３が格納され、次に文字データ７４が格納されている。  
図１１（ｂ）に示すように、記憶エリア７２に文字データ７４が存在する場合に、識別子７３は、例えば“０００００００１”に設定され、図１１（ｃ）に示すように、記憶エリア７２に文字データ７４が存在しない場合に、識別子７３は、例えば“００００００００”に設定される。
【００８１】
図１２はＣＰＵ４２がバッファ４６内の記憶エリア７２に格納された文字データ７４を読み出す動作を示すフローチャートである。
【００８２】
図１２に示すように、マスターであるＣＰＵ４２は所定時間待った後（ステップＳ０１）、記憶エリア７２に格納されている識別子７３を読み出し（ステップＳ０２）、文字データ７４が存在するか否かを判定する（ステップＳ０３）。
【００８３】
文字データ７４が存在していれば（ステップＳ０３のＹｅｓ）、記憶エリア７２から文字データ７４を読み出す（ステップＳ０４）。  
一方、記憶エリア７２に文字データ７４が存在していなければ（ステップＳ０３のＮｏ）、ステップＳ０１へ戻り、終了要求が出されるまで（ステップＳ０５）、ステップＳ０１からステップＳ０４までの動作を繰り返す。
【００８４】
これにより、マスターＣＰＵ４２は識別子７３を用いて文字信号７４の有無を検知することが可能である。
【００８５】
以上説明したように、実施例４のワイヤレステレビのモニタ１２によれば、スレーブ制御部７１により、識別子７３を付した文字データ７４をバッフア４６に一時的に格納するので、マスターＣＰＵ４２は識別子７３を用いて文字信号の有無を検知することができる。
【００８６】
その結果、ＣＰＵ４２は文字データが存在する場合にのみデータを読み出せば良いので、無駄な消費電力が低減されるとともに、ＩＩＣ（Ｒ）バス５１上の不要なデータトラフィックが削減される利点がある。
【００８７】
ここでは、文字信号の有無を検知するのに、ＣＰＵ４２が定期的に第２通信処理部７０にアクセスする場合について説明したが、第２通信処理部７０が文字データを受け取ったときにのみＣＰＵ４２に文字データを送出するようにしても構わない。
【００８８】
即ち、図１３に示すように、モニタ１２の第２通信処理部７５は一端がＣＰＵ４７に接続され、他端がバッフア４６に接続されたマスター制御部７６を有している。
【００８９】
図１４はマスター制御部７６がＣＰＵ４２に文字信号を転送する動作を示すフローチャートである。
【００９０】
図１４に示すように、無線信号が受信されるとマスター制御部７６が文字信号であるか否かを判断し（ステップＳ１１）、文字信号である場合には（ステップＳ１１のＹｅｓ）、ＩＩＣ（Ｒ）バス５１を介してＣＰＵ４２に文字信号を送出する（ステップＳ１２）。  
一方、文字信号を受信していない場合には（ステップＳ１１のＮｏ）、ステップＳ１１に戻り、文字信号を受信するまでステップＳ１１を繰り返す。
【００９１】
これにより、ＣＰＵ４２は文字信号の有無を検知するために定期的に第２通信処理部７５にアクセスする必要がないので、更に消費電力が削減されるとともに、ＩＩＣ（Ｒ）バス５１上の不要なデータトラフィックが更に削減される利点がある。
【実施例５】
【００９２】
本発明の実施例５に係るワイヤレステレビについて、図１５を用いて説明する。図１５はそのステーションまたはモニタの構成を示すブロック図である。
【００９３】
本実施例において、上記実施例１と同一の構成部分には同一符号を付してその説明を省略し、異なる部分についてのみ説明する。
【００９４】
実施例５が上記実施例１と異なる点は、ステーションまたはモニタがエンコーダとデコーダの両方のモードを備えた信号処理部と、マスター制御モードとスレーブ制御モードの両方のモードを備えたモード制御部とを有し、外部信号によりモードの選択が可能な第３無線通信装置を有することにある。
【００９５】
即ち、図１５に示すように、本実施例の第３無線通信装置８０は、第３通信処理部８１と、エンコーダとデコーダの両方のモードを備えた信号処理部８２と、モードの選択を指令するモード選択部８３とを具備している。
【００９６】
第３無線通信装置８０にチューナ、信号分離部、ビデオデコーダを備えた入出力部８４と、入出力部８４を介して放送を受信するアンテナを備えた外部入出力装置８５と、モニタ１２と通信するためのアンテナ８６と、文字信号ｃを文字信号ｆに変換するＣＰＵ２４を接続することによりステーション１１が構成される。
【００９７】
一方、第３無線通信装置８０にスケーラ、出力部を備えた入出力部８４と、入出力部８４を介して液晶パネル等のディスプレイを備えた外部入出力装置８５と、ステーション１１と通信するためのアンテナ８６と、文字信号ｆをビデオ信号ｈに変換するＣＰＵ２４を接続することによりモニタ１２が構成される。
【００９８】
第３通信処理部８１はＣＰＵ２８とバッファ２７の間に接続され、スレーブ制御部７１とマスター制御部７６を内蔵したモード制御部８７を有し、信号処理部８２はエンコーダ２３とデコーダ４１を内蔵している。
【００９９】
モード選択部８３は外部から外部信号入力端子８８を介してモード制御信号を受け取ると、信号処理部８２およびにモード制御部８７にモード切り替え指令を送出する。
【０１００】
信号処理部８２はモード切り替え指令に応じてエンコーダ２３またはデコーダ４１のいずれかとして機能するように内部配線を切替える。  
同様に、モード制御部８７はモード切り替え指令に応じてスレーブ制御部７１またはマスター制御部７６のいずれかとして機能するように内部配線を切替える。
【０１０１】
即ち、第３無線通信装置８０をステーション１１として使用する場合に、ビデオ信号を符号化処理するエンコーダモードと、スレーブ制御部モードが選択される。
【０１０２】
一方、第３無線通信装置８０をモニタ１２として使用する場合に、符号化されたビデオ信号を復号化処理するデコードモードと、マスター制御モードまたはスレーブ制御モードのいずれかが選択される。
【０１０３】
これにより、第３無線通信装置８０は外部信号により信号処理部８２およびモード制御部８７の動作モードを選択することにより、ステーション１１あるいはモニタ１２のいずれとしても動作可能である。
【０１０４】
以上説明したように、本実施例によれば、第３無線通信装置８０は外部信号によりモードが選択できる信号処理部８２およびモード制御部８７を有しているので、ワイヤレステレビ１０のステーション１１あるいはモニタ１２のいずれにも使用することができる。
【０１０５】
その結果、ワイヤレステレビのステーション用あるいはモニタ用として専用の無線通信装置をそれぞれ取り揃える必要がないので、ワイヤレステレビの製造工程を合理化できる利点がある。
【０１０６】
更に、モード制御部８７がマスター制御部７６として機能する場合には、ＣＰＵ２４は文字信号の有無を検知するために定期的に第３通信処理部８１にアクセスする必要がないので、実施例４にて説明したのと同様に、消費電力が削減されるとともに、ＩＩＣ（Ｒ）バス５１上の不要なデータトラフィックが更に削減される。
【０１０７】
上述した実施例においては、無線通信装置がワイヤレステレビの場合について説明したが本発明はこれに限定されるものではなく、映像、音声情報と文字などの付随情報を含む合成信号を無線通信するものであれば良く、例えば双方向テレビ電話などであっても構わない。
【図面の簡単な説明】
【０１０８】
【図１】本発明の実施例１に係るワイヤレステレビの構成を示すブロック図。
【図２】本発明の実施例１に係るステーションの構成を示すブロック図。
【図３】本発明の実施例１に係るモニタの構成を示すブロック図。
【図４】本発明の実施例１に係る通信方法を示す図。
【図５】本発明の実施例２に係るステーションの構成を示すブロック図。
【図６】本発明の実施例２に係る符号化レートと処理遅延時間の関係を示す図。
【図７】本発明の実施例２に係るモニタの構成を示すブロック図。
【図８】本発明の実施例３に係るステーションの構成を示すブロック図。
【図９】本発明の実施例３に係るモニタの構成を示すブロック図。
【図１０】本発明の実施例４に係るステーションの構成を示すブロック図。
【図１１】本発明の実施例４に係る記憶エリアの構成を示す図。
【図１２】本発明の実施例４に係るステーションの制御動作を示すフローチャート。
【図１３】本発明の実施例４に係るモニタの構成を示すブロック図。
【図１４】本発明の実施例４に係るモニタの制御動作を示すフローチャート。
【図１５】本発明の実施例５に係るワイヤレステレビの構成を示すブロック図。
【符号の説明】
【０１０９】
１０  ワイヤレステレビ（無線通信装置）
１１  ステーション（第１無線通信装置）
１２  モニタ（第２無線通信装置）
１３、１４、１６、８６  アンテナ
１５  ＡＶ器機
２０  チューナ
２１  信号分離部
２２  ビデオデコーダ
２３  エンコーダ
２４、２８、４２、４７  ＣＰＵ
２５、６０、６４  第１通信処理部
２６、２７、４５、４６  バッファ
２９、４８  ベースバンド処理部
３０、４９  ＲＦ処理部
３１、５０  記憶部
３２、５１  ＩＩＣバス
４０、６２、６６、７０、７５  第２通信処理部
４１  デコーダ
４３  スケーラ
４４  出力部
６１、６３  遅延処理部
６５、６７  遅延通知部
７１  スレーブ制御部
７２  記憶エリア
７３  識別子
７４  文字データ
７６  マスター制御部
８０  第３無線通信装置
８１  第３通信処理部
８２  信号処理部
８３  モード制御部
８４  入出力部
８５  外部入出力装置
８７  モード選択部
８８  外部信号入力端子
【図１】
2006324960.tif 000003
【図２】
2006324960.tif 000004
【図３】
2006324960.tif 000005
【図４】
2006324960.tif 000006
【図５】
2006324960.tif 000007
【図６】
2006324960.tif 000008
【図７】
2006324960.tif 000009
【図８】
2006324960.tif 000010
【図９】
2006324960.tif 000011
【図１０】
2006324960.tif 000012
【図１１】
2006324960.tif 000013
【図１２】
2006324960.tif 000014
【図１３】
2006324960.tif 000015
【図１４】
2006324960.tif 000016
【図１５】
2006324960.tif 000017